(57)【要約】【課題】  インク流路内にバッファ室が設置されている記録ヘッドの保管・物流時にインクジェット記録ヘッドに障害が発生するのを抑制しながら、梱包などを簡素なものとすることを可能とする。【解決手段】  インクジェット記録ヘッドのインク流路内に記録用インクを充填し（Ｓ１２）、検査記録を行う（Ｓ１３）。その後、インクジェット記録ヘッドのインク流路内に純水を注入して記録用インクを純水に置換する（Ｓ１４）。置換によってバッファ室に浸入した純水を密閉吸引と大気開放で除去する（Ｓ３１）。次に、清浄空気をインク流路内に供給してインク流路内の純水を排出するとともにノズル面に清浄空気を吹き付けて付着した水分を除去する（Ｓ１５）。この状態のインクジェット記録ヘッドをインクジェット記録装置のキャリッジに装着し、あるいは収納箱に収納して保管・物流を行う（Ｓ１６）。【選択図】  図１
2009262367.tif 000002
【特許請求の範囲】
【請求項１】
インクを吐出する複数の吐出口と、複数の吐出口にインクを供給するための共通液室と、該共通液室にインクを導くインク流路と、該インク流路のインク導入箇所に配されたフィルタと、該フィルタから該吐出口までの流路内にインクの吐出によって生じる共通液室内のインクの振動を抑制するためのバッファ室とを備えたインクジェット記録ヘッドのインク流路内が空になった形態の出荷・保管に際し、インク吐出状態検査後のインクをインク流路内に純水を供給し、該インク流路内に純水を充填する工程を備え、純水が充填されたインク流路内に清浄空気を供給して純水をインク流路から除去するインクジェット記録ヘッドのバッファ室液体除去方法において、
前記インク流路内に純水を充填する工程でバッファ室に浸入した純水を除去する際に、吐出口より吸引し、フィルタ側を塞ぎインク流路内の減圧を高くし、前記吐出口より吸引した状態でフィルタ側を開放し、大気を導入することを特徴とするインクジェット記録ヘッドのバッファ室液体除去方法。
【請求項２】
前記バッファ室除去方法として、吐出口より吸引し、フィルタ側を塞ぎインク流路内の減圧を高くし、前記吐出口より吸引した状態でフィルタ側より加圧清浄空気を供給することを特徴とする請求項１に記載のインクジェット記録ヘッドのバッファ室液体除去方法。
【発明の詳細な説明】
【技術分野】
【０００１】
本発明はバッファ室が搭載されたインクジェット記録ヘッドの保管・物流に関する。
【背景技術】
【０００２】
従来、インクジェット記録ヘッドの物流時には、インク流路内に物流用のインクを充填するのが一般的である（特許文献１参照）。物流用のインクは、記録用のインクから着色剤成分を全量あるいは所定の割合で除いた組成を有するのが一般的である。
【０００３】
このような物流用インクを用いた、インクジェット記録ヘッドの製造工程における組立から保管・物流までの手順について、図６を参照して説明する。
【０００４】
通常、製造工程では、インクジェット記録ヘッド１０の組立（ステップＳ２１）が終了した後、インクジェット記録ヘッド１０の信頼性を確保するために記録テストを行う。このために、まず、インクジェット記録ヘッド１０のインク流路１２内に通常の記録用インク３１を充填する（Ｓ２２、図６（ｂ）、図６（ｃ））。記録用インク３１の充填は、通常、インクカートリッジ接続口１１にインク供給系を接続し、吐出口１６側から吸引することによって行われる。そして、充填された記録用インク３１を使用して検査記録を行う（Ｓ２３）。その後、インク流路１２内の記録用インク３１を物流用インク３２に置換する（Ｓ２４、図６（ｄ）、図６（ｅ））。但し、１００％物流用インク３２に置換するのはインク流路１２等の構造上などの問題がありできていないのが現状で物流用インク３２への置換率９５％以上（物流用インク９５：記録インク５の割合）の混合液になっている。インクジェット記録ヘッド１０は、このように物流用インク３２が充填された状態で、保管・物流される（Ｓ２５）。
【０００５】
保管・物流時、インクジェット記録ヘッド１０は、通常、図８（ａ）に示すように、記録ヘッド収納箱５５に梱包され、インクジェット記録装置６０と一緒に記録装置用収納箱５３に同梱される。あるいは、インクジェット記録ヘッド１０は、図８（ｂ）に示すように、インクジェット記録装置６０のキャリッジ６１に搭載され、その状態のインクジェット記録装置６０が記録装置収納箱５３に梱包される。
【０００６】
上述のように、インク流路１２内に物流用インク３２を充填することによって、物流時に、インク流路１２の流路表面が、インクジェット記録ヘッド１０やそれが搭載される記録装置の構成部品からのアウトガスや保管環境の雰囲気の変化に曝されるのが抑制される。それによって、流路表面の表面状態が変化するのを抑制することができる。流路表面、特に、ヒーターや圧電素子といったインク吐出駆動源部分の表面状態の変化を抑制することによって、インクとの濡れ性が変動して吐出インク滴の着弾精度が低下するなど、インク吐出性能が損なわれるのを抑制することができる。
【０００７】
また、物流用インク３２は、上述のように、記録用インク３１よりも着色剤成分量が減らされるなどの処置によって、物流時に経時的に蒸発しても、粘度が高くなったり、流路表面や吐出口１６に固着したりしにくい組成を有している。そのため、着色剤の成分である染料や顔料が吐出口１６の表面に固着して、インク吐出性能に影響が生じるといった問題の発生も抑制することができる。
【０００８】
また、上述した方法以外の手法が特許文献２に開示されている。特許文献２に記載されているインクジェット記録ヘッドの製造工程における組立から保管・物流までの手順について図７を参照して説明する。
【０００９】
インクジェット記録ヘッド１０の信頼性を確保するために、組立（ステップＳ１１）完了後、出荷前に記録テストを行う。記録テストを行うため、インクジェット記録ヘッド１０のインク経路内に、色の付いた通常の記録用インク３１を充填する（Ｓ１２、図７（ｂ））。記録用インク３１の充填は、インクカートリッジ接続口１１にインク供給系を接続し、吐出口１６側から吸引することによって行うことができる。検査記録（Ｓ１３）は、このようにして充填された記録用インク３１を用いて行い、記録結果に基づいて、インクジェット記録ヘッド１０が規定の性能を満足しているか否かを判定する。
【００１０】
検査記録で良品と判定されたインクジェット記録ヘッド１０に対しては、インク流路１２内の記録用インク３１を純水３３に置換する（Ｓ１４、図７（ｃ））。置換は、インクジェット記録ヘッド１０のインクカートリッジ接続口１１に純水３３を接続し、吐出口１６側から吸引することによってインク流路１２内の記録インク３１を吐出口１６から排出することによってできる。但し、１００％純水３３に置換するのはインク流路１２等の構造上などの問題がありできていないのが現状で純水３３への置換率９９．５％以上（純水９９．５：記録インク０．５の割合）の混合液になっている。
【００１１】
次に、インクジェット記録ヘッド１０のインクカートリッジ接続口１１から清浄空気３４をインク流路１２内に供給し、清浄空気３４の圧力でインク流路１２内の純水３３を排出する。それとともに吐出口面１７に清浄空気３５を吹き付けて付着した水分を除去する（Ｓ１５、図７（ｄ））。また、清浄空気３４の圧力により、吐出口１６から排出される純水３３と記録用インク３１の混合液９９．５％以上の純水３３は外部への排出を促進することができる。インクジェット記録ヘッド１０の吐出口面１７に対する清掃空気３５の角度は５〜１０°が適当である。また、清掃空気３５は、インクジェット記録ヘッド１０のノズル列方向に走査させてもよい。
【００１２】
以上により、インクジェット記録ヘッド１０のインク流路１２内の記録インク３１と純水３３の混合液等は完全に除去され清浄空気に置換された空（以下ＤＲＹと言う）の状態をつくりだすことができる。インクジェット記録ヘッド１０は、このように、インク流路１２内がＤＲＹの状態で、前述のように梱包され、保管・物流される（Ｓ１６）。
【００１３】
なお、上記の手順において、ステップＳ１４で記録用インク３１をまず純水３３に置換するのは、表面張力の低い記録用インク３１よりも表面張力の高い水のほうが、次のステップ１５での空気圧力による排出が容易であるためである。また、純水３３を使用するのは、記録用インク３１の排出時に有機物等が残渣としてインク流路１２表面や吐出口面１７に付着しないようにするためでもある。純水３３は、高度な製造装置によって作成されるものでなくとも、イオン交換を中心とした汎用の簡易純水製造装置によって得られる程度のもので充分である。具体的には、電気伝導率が３μＳ／ｃｍ以下、ＴＯＣ（Total Organic Carbon）が５００μｇ／Ｌ以下程度のものを用いればよい。
【００１４】
また、純水置換の前に空吸引を行いインクジェット記録ヘッド１０、インク流路１２内の記録インク３１の大部分を除去しておいてもよい。それによって、純水置換（Ｓ１４）時の純水３３供給負荷を低減することができる。
【００１５】
純水置換（Ｓ１４）の後に供給する清浄空気３４，３５は、オイルミストセパレーターを経たクリーンエアを使用する。供給するクリーンエアには、さらに除湿を行うことが望ましい。流路構造にもよるが、供給圧力は０．１〜０．２ＭPａ、供給時間は２０ｓｅｃ以上が適当である。
【００１６】
インク流路１２内をＤＲＹにし、液体を残さないようにすることによって、記録用インク３１や物流用インク３２の蒸発に起因する問題を抑制することができる。すなわち、インクの増粘や固着の問題の発生が抑制される。
【特許文献１】特開平７−５２４０１号公報
【特許文献２】特開２００７−０５０５２８号公報
【発明の開示】
【発明が解決しようとする課題】
【００１７】
従来の出荷形態において、バッファ室がない流路ではインク流路内の記録インクを純水に置換し、流路内が純水に置換されたら清掃空気を吹き付け流路内の水分を除去しＤＲＹ状態にし、インクジェット記録装置内のキャリッジに装着され出荷されている。
【００１８】
また、バッファ室がある流路ではインク流路内の記録インクを物流用インクに置換し、物流インクの蒸発を防止するために密閉系の容器に保管され出荷される２種類の形態が存在している。
【００１９】
上記のようにバッファ室が存在するインクジェット記録ヘッドは、検査工程での記録インク充填や、記録インクから純水への置換を行う工程でバッファ室に記録インク・純水が浸入してしまう。バッファ室に浸入してしまうことについて図５を参照して説明する。
【００２０】
検査工程での記録インク充填（Ｓ１２）や、記録インク３１から純水３３への純水置換（Ｓ１４）を行う工程では吐出口１６より吸引をおこないインクタンク接続口１１より記録インク３１・純水３３を供給する（図５（ａ））。記録インク３１・純水３３がインク流路１２内に充填され吐出口１６まで充填される。このとき、吐出口１６側をポンプ４２等にて吸引をしているため、フィルタ１８の抵抗やインクカートリッジ２６供給系の圧力損失により、バッファ室２０が減圧され気液交換３７が発生している（図５（ｂ））。気液交換３７がされた状態で吸引を止めるとバッファ室２０が減圧されているので大気圧に戻ろうとして記録インク３１・純水３３がバッファ室２０に浸入してしまう（図５（ｃ））。
【００２１】
上述で述べたインク流路１２内をＤＲＹにする従来技術では、バッファ室２０に浸入した純水３３を抜き取ることが出来ない。バッファ室２０に純水３３が残ったまま保存され、物流中の落下や振動などで純水３３が吐出口１６に移動し生菌・カビの発生やヘッド自身の部材から溶出が起こり純水３３の蒸発が進行すると溶出物の増粘、固着し、着荷時の良好な記録動作を保証することが出来ない。
【００２２】
そこで、バッファ室が存在するインクジェット記録ヘッド１０では、物流用インク３２をインクジェット記録ヘッド１０のインク流路１２内に充填した状態で保管・物流する形態がとられているので、物流用インク３２の蒸発抑制を講じる必要がある。すなわち、物流用インク３２の蒸発を抑制することによって、物流用インク３２によるインク流路１２内面の保護作用を持続させることができる。また、物流用インク３２といえども、蒸発が極端に進行すると、増粘したり、固着したりすることが考えられるので、蒸発抑制によってそのような事態の発生も抑制することができる。また、物流用インクの増粘や固着を抑制することによって、着荷後の最初の使用時に、物流用インク３２を吸引して記録用インク３１に置換する際、抵抗による圧損によって吸引が妨げられるなどするのを抑制することができる。それによって、インク流路１２内に記録用インク３１を良好に充填可能として、良好な記録動作を保証することができる。
【００２３】
物流用インク３２の蒸発抑制のため、図８（ａ）のように、インクジェット記録ヘッド１０を記録ヘッド収納箱５５に梱包して保管・物流する場合、記録ヘッド収納箱５５は、蒸発を防止できる構成を有するものとする必要がある。さらに、密閉梱包の設備が必要となったり、また、密閉性に関する品質管理が求められたりする。これらのことから、梱包に関するコストが上昇する。また、記録ヘッド収納箱５５は客先において開封され、それ自体は廃棄物となる。したがって、物流用インク３２の蒸発抑制用の構成のために、記録ヘッド収納箱５５の簡素化が妨げられることによって、廃棄物が増えたり、記録ヘッド収納箱５５を分解して分別廃棄する必要が生じたりする。
【００２４】
一方、図８（ｂ）のように、インクジェット記録装置６０のキャリッジ６１上にインクジェット記録ヘッド１０を装着した状態で保管・物流する場合を考える。この場合、インクジェット記録装置６０のインク吸引機構のインク吸引キャップ６２によってインクジェット記録ヘッド１０のノズルを覆うことによって、物流用インク３２の蒸発が抑制される。この際、インク吸引キャップ６２に接続される配管系は、物流中の温度・圧力変動でインクジェット記録ヘッド１０のインク流路１２に過剰な圧力がかかって、充填されたインクが漏れ出すのを抑制するために開放されているのが通常である。したがって、インクジェット記録ヘッド１０をインク吸引キャップ６２で覆っていても厳密には密閉状態とはいえず、長期間にわたって物流用インク３２の蒸発を完全に抑制するのは困難である。
【００２５】
さらに、インクジェット記録ヘッド１０にインク吸引キャップ６２を長時間にわたって接触させた状態とすると、インクジェット記録ヘッド１０にインク吸引キャップ６２とが互いに貼り付いて分離に大きな力が必要になることがある。特に、インク吸引キャップ６２が塩素化ブチルやエラストマーゴムで構成されている場合などにこのようになりやすいので、着荷後の使用時にインク吸引キャップ６２とインクジェット記録ヘッド１０の分離を行うことができるように、対策が必要となる場合がある。このような対策としては、インク吸引キャップ６２のヘッド当接面に記録用インク３１や物流用インク３２、あるいは専用の液剤を塗布することが挙げられる。あるいは、キャップ動作駆動系の駆動力を高めることが考えられる。
【００２６】
また、上記のいずれの物流形態でも、インクジェット記録ヘッド１０のインク流路１２内の物流用インク３２内には、溶存空気が存在するのを避けるのが困難であることなどから、物流中の振動によって多くの気泡が発生する。このように気泡が発生するために、物流後の最初の使用時、物流用インク３２から記録用インク３１へ置換する際、記録用インクの吸引動作によって気泡を除去し、かつ記録用インク３１への完全な置換を行うのに、多くの吸引時間が必要となる。また、置換によって、多くの記録用インク３１が消費されてしまう。
【００２７】
本発明の目的はバッファ室が存在するインクジェット記録ヘッドをDRYにし、梱包などを簡素なものとすることを可能とすることにある。そして、それによって、本発明は、保管・物流のコスト低減や廃棄物発生の抑制を図る。また、本発明は、物流後の最初の使用時の記録用インクの充填の効率化を図る。
【課題を解決するための手段】
【００２８】
上記目的を達成させるための本発明は以下の手段により達成される。
【００２９】
すなわち、インクを吐出する複数の吐出口と、複数の吐出口にインクを供給するための共通液室と、共通液室にインクを導くインク流路と、インク流路のインク導入箇所に配されたフィルタと、フィルタから吐出口までの流路内にインクの吐出によって生じる共通液室内のインクの振動を抑制するためのバッファ室と、を備えたインクジェット記録ヘッドのインク流路内が空になった形態の出荷・保管に際し、インク吐出状態検査後のインクをインク流路内に純水を供給し、インク流路内に純水を充填する工程を備え、純水が充填されたインク流路内に清浄空気を供給して純水をインク流路から除去するインクジェット記録ヘッドのバッファ室液体除去方法において、
インク流路内に純水を充填する工程でバッファ室に浸入した純水を除去する際に、吐出口より吸引し、フィルタ側を塞ぎインク流路内の減圧を高くし、吐出口より吸引した状態でフィルタ側を開放し、大気を導入することを特徴とするインクジェット記録ヘッドのバッファ室液体除去方法。
【発明の効果】
【００３０】
本発明によれば、インクジェット記録ヘッドは、保管・物流時、インク流路内、バッファ室がＤＲＹの状態とされる。したがって、インク流路内に充填された液体の蒸発を抑制する必要がなくなり、その結果、梱包などを簡素なものとすることが可能となる。それによって、保管・物流のコスト低減や廃棄物発生の抑制を図ることができる。また、物流後の最初の使用時の記録用インクの充填の効率化を図ることができる。
【発明を実施するための最良の形態】
【００３１】
次に本発明の実施の形態について実施例の記述と図面を参照して説明する。
【実施例１】
【００３２】
最初に、第１の実施形態について図１〜図３を参照して説明するにあたり、本実施形態におけるインクジェット記録ヘッド１０およびインクジェット記録装置６０の概要について説明する。なお、以下に説明するインクジェット記録ヘッド１０およびインクジェット記録装置６０の構成は、一般的な構成を例示するものであり、本発明を適用するインクジェット記録ヘッド、記録装置は、以下の構成のものに限られることはない。
【００３３】
図２に示すように、インクジェット記録ヘッド１０は、インクを吐出する複数の吐出口１６が形成された吐出口ユニット１３を有している。各吐出口１６内には、インク吐出駆動源（不図示）が設けられている。インク吐出駆動源は、インクを急加熱し泡（バブル）を発生させ、それに伴って生じる圧力によってインクを吐出させるためのヒーターや、機械的な変位によってインクを吐出させるための圧力を発生するピエゾ素子などの公知のものであってよい。吐出口ユニット１３内には、各吐出口１６が連通する共通液室１５、共通液室１５に連通するインク供給口１４がさらに形成されている。インク供給口１４には、インク流路１２形成部材によって形成されたインク流路１２が連通している。このインク流路１２の一端は、インクカートリッジ２６に接続されるインクカートリッジ接続口１１となっている。
【００３４】
図３に示すように、インクジェット記録装置６０は、インクジェット記録ヘッド１０が、インクカートリッジ２６と共に搭載されるキャリッジ６１を有している。また、インクジェット記録装置６０には、インクジェット記録ヘッド１０の吐出口面１７を覆うことができるインク吸引キャップ６２が設けられている。インク吸引キャップ６２には、ポンプなどの吸引機構（不図示）が接続されている。
【００３５】
記録動作時、キャリッジ６１に搭載されたインクジェット記録ヘッド１０には、インクカートリッジ２６からインクカートリッジ接続口１１を経由してインクが充填される。充填されたインクは、インク流路１２部材によって形成されたインク流路１２を経て吐出口ユニット１３に供給され、インク供給口１４から共通液室１５を経て各吐出口１６に充填される。そして、吐出口１６内でインク吐出駆動源を作動させることによって吐出口１６内のインクが流体摩擦抵抗の小さい吐出口１６の外部へと押し出され、インク滴となって吐出される。吐出口１６内には共通液室１５側から新たにインクが供給されて次の吐出に備える。
【００３６】
インクジェット記録装置６０は、記録用紙等の記録媒体の搬送機構や、キャリッジ６１の往復移動機構（不図示）をさらに有し、それらを利用して、記録媒体上の所望の位置に、上記のようにインクジェット記録ヘッド１０から吐出されたインク滴を着弾させる。そして、このようなインクの着弾プロセスの繰り返しによって、所望の記録画像に応じた画像形成が行われる。
【００３７】
次に、本実施形態のインクジェット記録ヘッドの保管・物流形態について説明する。図３に示すように、本実施形態において、インクジェット記録ヘッド１０は、物流時、インクジェット記録装置６０のキャリッジ６１に装着され、その状態で、インクジェット記録装置６０と共に記録装置収納箱５３に収納される。この際、インクジェット記録ヘッド１０のインク流路１２内はＤＲＹの状態となっている。
【００３８】
このような、インク流路１２の内部からインク等の液体が完全に除去され、ＤＲＹの状態になっているインクジェット記録ヘッド１０の物流形態においては、雰囲気によるインク流路１２表面、特に、ピエゾ素子やヒーターといった吐出駆動源の膜汚染が懸念される。本発明者らの知見によれば、インクジェット記録ヘッド１０において、インク流路１２の表面を汚染するなどして濡れ性を変化させるのは、封止剤中に存在する低分子シロキ酸や低分子ポリウレタンを含むアウトガスであることが判明している。このような封止剤は、インクジェット記録ヘッド１０の電気接続部の保護やインク流路１２構成材料の封止を目的として使用されるシリコン系樹脂やウレタン系樹脂などである。
【００３９】
しかしながら、これらの封止剤の低分子成分はアウトガスとしてだけではなく、インク中に溶出してインク流路１２に吸着することによってもインク流路１２の濡れ性を変化させる。より高精細な吐出性能が要求される近年のインクジェット記録ヘッド１０では、これらの低分子成分を含む封止剤の使用は回避されるようになってきており、前述の低分子成分を含まない熱硬化型のエポキシ系封止剤が多く使用されている。このような構成のインクジェット記録ヘッド１０では、インク流路１２内がＤＲＹの状態で物流を行っても、インクジェット記録ヘッド１０の構成部材からのアウトガスによる汚染の問題は発生しないと言える。
【００４０】
また、本実施形態では、インクジェット記録ヘッド１０をインクジェット記録装置６０に搭載した状態で保管・物流を行うので、インクジェット記録装置６０に使用するグリス等からのアウトガスによる汚染にも一応留意する必要がある。しかしながら、グリス類のような潤滑剤は実使用温度領域において変質することなしに一定の機能を発揮する必要性があることから、実使用温度領域における成分の揮発はほとんどないといえる。したがって、インクジェット記録装置６０の構成部材からのアウトガスによる汚染の問題もほとんど発生しないと言える。
【００４１】
以上のことから、本実施形態のインクジェット記録ヘッド１０の保管・物流形態は、近年のインクジェット記録装置６０においては、インク流路１２の濡れ性変化によるインク吐出性能の変化を抑制可能なものである。
【００４２】
次に、上記のような物流形態とするための、インクジェット記録ヘッドのバッファ室DRY製造工程までの手順について図１を参照して説明する。
【００４３】
この製造工程では、インクジェット記録ヘッド１０の信頼性を確保するために、組立（Ｓ１１）完了から純水置換（S１４）までは従来の技術と同じ手法である。但し、記録インク充填（Ｓ１２）純水置換（S１４）工程での吐出口からの吸引圧力は低圧であるほうが、バッファ室への記録インク３１・純水３３の浸入量が少なくなるのでよい。それによって、バッファ室浸入水除去工程（Ｓ３１、図１（ａ））の負荷を低減することができる。
【００４４】
次に、バッファ室浸入水除去（Ｓ３１、図１（ａ））方法について説明する。インクジェット記録ヘッド１０の吐出口面１７を吸引キャップ４０で覆い、インクカートリッジ接続口１１も耐久性のある部材（以下ノズル４１と言う）で覆い密閉し、吐出口面の吸引キャップ４０を介してポンプ４２によって吸引する。このとき、インクカートリッジ接続口１１をノズル４１で覆う前に吸引キャップ４０を介してポンプ４２により吸引してもよい。
【００４５】
吸引キャップ４０より吸引されるとインク流路１２に充填されている純水３３は吐出口１６より排出される（図１（ｂ））。このとき、インクカートリッジ接続口１１が塞がれているのでインク流路１２内の圧力が減圧される。インク流路１２の減圧が高くなり、バッファ室２０に浸入した純水３３がインク流路１２に引っ張られる（図１（ｃ））。このときの吸引圧が１．５sec以内で−４０KPａ以上の立ち上がりになると、バッファ室２０内の純水３３がインク流路１２に勢い良く引っ張られる。このときに純水３３が分断されバッファ室２０内に小さな水滴が残ってしまうので、吸引圧は４から５secの間に−１０KPａから−１５ＫＰａになる値に設定する。バッファ室２０に浸入していた純水３３が全てインク流路１２に引っ張られた時にノズル４１を開放して大気３６をインクカートリッジ接続口１１からインク流路１２に取り入れる。このとき、吐出口面の吸引キャップ４０を介してポンプ４２によって吸引しているのでインクカートリッジ接続口１１から吐出口１６への大気３６の流れが発生する。バッファ室２０からインク流路１２に出てきた純水３３はインクカートリッジ接続口１１からの大気３６の流れで吐出口１６より排出させる（図１（ｄ））。
【００４６】
このときのポンプ４２吸引圧は、記録インク充填（Ｓ１２）純水置換（S１４）工程より低いピーク圧力でも次の条件を満たしていれば可能である。インクカートリッジ接続口１１を塞いでポンプ４２吸引を行った時にインク流路１２の減圧の値が、記録インク充填（Ｓ１２）純水置換（S１４）工程時のインク流路１２減圧ピーク圧力より高ければ問題ない。
【００４７】
バッファ室除去工程（Ｓ３１）後、インクジェット記録ヘッド１０のインクカートリッジ接続口１１から清浄空気３４をインク流路１２内に供給し、清浄空気３４の圧力でインク流路１２内の純水３３を排出する。それとともに吐出口面１７に清浄空気３５を吹き付けて、エアブローを行い、付着した水分を除去する（Ｓ１５）。
【００４８】
以上により、インクジェット記録ヘッド１０のバッファ室２０内・インク流路１２内の純水３３等は完全に除去され清浄空気３４に置換されたＤＲＹの状態をつくりだすことができる。インクジェット記録ヘッド１０は、このように、インク流路１２内がＤＲＹの状態で、前述のように梱包され、保管・物流される（Ｓ１７）。
【実施例２】
【００４９】
次に、第２の実施例バッファ室除去工程について図４を参照して説明する。インクジェット記録ヘッドの構成や、インクジェット記録ヘッドの製造工程における組立から保管・物流までの手順は、第１の実施形態と同様であってよく、詳細な説明は省略する。
【００５０】
インクカートリッジ接続口１１外周にはインクカートリッジ２６を接続した時に密閉性を上げるためのシールゴム１９があり、純水置換（S１４）工程より純水３３等がシールゴム１９に残ってしまうことがある（図４（ａ））。第1の実施例であるインクジェット記録ヘッド１０の吐出口面１７を吸引キャップ４０で覆い、インクカートリッジ接続口１１もノズル４１で覆い密閉し、吐出口面の吸引し減圧している。そして、バッファ室２０に浸入していた純水３３インク流路に導きインクカートリッジ接続口１１を開放して大気３６をインク流路１２に取り入れ、吐出口より排出させバッファ室２０の純水３３を取り除いている。
【００５１】
しかし、シールゴム１９に純水３３等が付着した状態で行うと、インク流路１２が減圧された時にバッファ室２０の純水３３がインク流路１２に引っ張られると同時にシールゴム１９に付着していた水滴がインク流路１２に引っ張られる。シールゴム１９に付着していた純水３３等がインクカートリッジ接続口１１フィルタ１８を通過して、インクカートリッジ接続口１１からバッファ室２０までのインク流路１２に入ってしまう状態になる（図４（ｂ））。この様な状態でインクカートリッジ接続口１１を開放して大気３６をインク流路１２に取り入れると、バッファ室２０からインク流路１２に導き出された純水３３は吐出口１６より排出しされる。インクカートリッジ接続口１１からバッファ室２０の間に入った純水３３等も大気３６の流れでバッファ室２０を通過し吐出口１６より排出される。
【００５２】
このとき、バッファ室２０も減圧状態から大気圧状態に戻ろうとする。大気圧に戻ろうとする状態の時にインクカートリッジ接続口１１からバッファ室２０の間に入った純水３３等がバッファ室２０を通過するとバッファ室２０に純水３３等が浸入してしまう（図４（ｃ））。そこで、シールゴム１９に純水３３等が付着した状態でもバッファ室２０に浸入しない方法を説明する。
【００５３】
インクジェット記録ヘッド１０の吐出口面１７を吸引キャップ４０で覆い、インクカートリッジ接続口１１もノズル４１で覆い密閉し、吐出口面１７の吸引キャップ４０を介してポンプ４２によって吸引する。吸引されるとインク流路１２に充填されている純水３３は吐出口より排出される。このとき、インクカートリッジ接続口１１が塞がれているのでインク流路１２内の圧力が減圧され、インク流路１２の減圧が高くなるとバッファ室２０に浸入した純水３３がインク流路１２に引っ張られる。更に、シールゴム１９に付着していた純水３３等がインクカートリッジ接続口１１フィルタ１８を通過して、インクカートリッジ接続口１１からバッファ室２０までのインク流路１２に入ってしまう状態になる。
【００５４】
そして、ノズル４１の圧力弁４３まで清浄空気３４の圧力が充填されている状態（図４（ｄ））で圧力弁４３を開き開放する。吐出口面１７よりポンプで吸引された状態で圧力弁４３を開放すると同時にインク流路１２内に清浄空気３４が流れる。加圧された清浄空気３４がインクカートリッジ接続口１１から吐出口１６へ流れ、バッファ室からインク流路１２に出された純水３３を吐出口１６より排出させる。また、インクカートリッジ接続口１１からバッファ室２０の間に入った純水３３等も加圧による空気の流れでバッファ室２０を通過し吐出口１６より排出される。
【００５５】
このとき、インクカートリッジ接続口１１からバッファ室２０の間に入った純水３３等が清掃空気により移動するが、純水３３等がバッファ室２０を通過する前にバッファ室２０に清掃空気３４が入り込み加圧される。純水３３等はインク流路１２の流抵抗があり、清掃空気３４より移動スピードが遅くなるため先にバッファ室２０内が加圧状態になるので純水３３等がバッファ室２０に浸入できず通過する（図４（ｅ））。
【００５６】
以上により、シールゴム１９に純水３３等が付着したままでもバッファ室２０内の純水３３等は完全に除去され清浄空気３４に置換されＤＲＹの状態をつくりだすことができる。
【００５７】
以上説明したバッファ室を有するインクジェット記録ヘッドの、バッファ室内・インク流路内を完全にＤＲＹにすることが出来る。すなわち、生菌・カビの発生やヘッド自身の部材から溶出が起こり純水の蒸発が進行と溶出物の増粘、固着などの問題の発生が防止できる。また、従来技術におけるように物流用インクを充填しないために、記録用インクや物流用インクの蒸発に起因する問題を抑制することができるのでインクの増粘や固着による着荷時の不良も防止できる。
【００５８】
また、本実施形態では、物流時、インク等の流体の蒸発に留意する必要がないため、インクジェット記録ヘッド１０にインク吸引キャップ２２を密着させておく必要がなく、図３に示すように、インクジェット記録ヘッド１０は、任意の位置に配置しておいてよい。物流・保管時にインク吸引キャップ２２をインクジェット記録ヘッド１０に密着させないことによって、従来技術におけるように、保管・物流の間に、インク吸引キャップ２２がインクジェット記録ヘッド１０に貼り付いてしまうのを回避できる。したがって、インク吸引キャップ２２をインクジェット記録ヘッド３０から分離するために、従来技術におけるように大きな力が必要となるのを抑制でき、吸引キャップ２２を移動させる機構の駆動源の必要トルクを低減することができる。
【００５９】
また、物流後の最初の使用時、記録用インクをインクジェット記録ヘッド１０に充填する際、本実施形態では、インクジェット記録ヘッド１０のインク流路１２内には空気しか存在しない。このため、物流用インクを充填する場合のように圧損が生じることがなく、物流用インク中に気泡が内在することによる困難も生じない。したがって、本実施形態では、従来技術と比較して、インク充填のための吸引動作を、低圧、低流量で行って、インク流路１２内に気泡のない良好な状態を安定して達成することができる。その結果、インク充填時に吸引して廃棄されることになるインク量を低減することができ、また、インク充填にかかる時間を短縮して、記録開始までの待機時間を低減できる。
【図面の簡単な説明】
【００６０】
【図１】本発明第１の実施形態、インクジェット記録ヘッドのバッファ室除去工程製造工程における手順を説明する図であり、（ａ）はフローチャート、（ｂ）、（ｃ）、（ｄ）は、この手順におけるインクジェット記録ヘッドの状態を模式的に示す断面図である。
【図２】本発明第１の実施形態、インクジェット記録ヘッドの状態を模式的に示す断面図である。
【図３】本発明第１の実施形態、インクジェット記録ヘッドの保管・物流形態を模式的に示す斜視図である。
【図４】本発明第２の実施形態、インクジェット記録ヘッドのバッファ室除去工程における状態を模式的に示す断面図である。
【図５】記録インク充填、純水置換でバッファ室に浸入する状態を示すインクジェット記録ヘッドの断面図である。
【図６】従来技術の物流インク充填によるインクジェット記録ヘッドの製造工程における組立から保管・物流までの手順を説明する図であり、（ａ）はフローチャート、（ｂ）、（ｄ）はバッファ室を搭載していない断面図、（ｃ）、（ｅ）はバッファ室を搭載している断面図で、この手順におけるインクジェット記録ヘッドの状態を模式的に示す。
【図７】従来技術バッファ室が搭載されてないインクジェット記録ヘッドの製造工程における組立から保管・物流までの手順を説明する図であり、（ａ）はフローチャート、（ｂ）、（ｃ）、（ｄ）、は、この手順におけるインクジェット記録ヘッドの状態を模式的に示す断面図である。
【図８】従来技術におけるインクジェット記録ヘッドの保管・物流形態を模式的に示す斜視図である。
【符号の説明】
【００６１】
10  インクジェット記録ヘッド
11  インクカートリッジ接続口
12  インク流路
13  吐出口ユニット
14  インク供給口
15  共通液室
16  吐出口
17  吐出口面
18  フィルタ
19  シールゴム
20  バッファ室
26  インクカートリッジ
31  記録用インク
32  物流用インク
33  純水
34、35  清掃空気
36  大気
37  気液交換
40  吸引キャップ
41  ノズル
42  ポンプ
43  圧力弁
53  記録装置用収納箱
55  記録ヘッド収納箱
60  インクジェット記録装置
61  キャリッジ
62  インク吸引キャップ
【図１】
2009262367.tif 000003
【図２】
2009262367.tif 000004
【図３】
2009262367.tif 000005
【図４】
2009262367.tif 000006
【図５】
2009262367.tif 000007
【図６】
2009262367.tif 000008
【図７】
2009262367.tif 000009
【図８】
2009262367.tif 000010